(57)【要約】      （修正有）【課題】灯油容器において、灯油の購入時や移し換え時に、容器本体の給油口を開けた際のキャップが紛失されることなく、容器本体において確保される灯油容器と灯油容器用キャップを提供する。【解決手段】灯油容器Ａは、容器本体１に設けられる一対の中空ネジ軸３の一方に、キャップ本体の頂面に雄ネジ８を立設した灯油容器用キャップＢ（以下、キャップＢとする。）が被蓋され、他方の中空ネジ軸３には旧キャップ５が被蓋される。このほか、中空ネジ軸３の一方には、キャップ本体の頂面に磁性体を配設したキャップＢが被蓋され、他方の中空ネジ軸３には、キャップ本体の頂面に前記磁性体と異極の磁性体又は該磁性体に吸着される磁力吸着体を配設したキャップＢが被蓋されるものや、一方のキャップ本体にネジ軸を介して昇降自在な干渉盤を設けたキャップＢが被蓋され、他方のキャップ本体に旧キャップ５が被蓋されるものもある。また、キャップＢは前記要件から成る。【選択図】図１
0003193237.tif 000002
【実用新案登録請求の範囲】
【請求項１】
ポリエチレン等で成形された略直方体状の容器本体の上部中央に持ち手が設けられ、該持ち手を挟んで前後に一対の中空ネジ軸の給油口が開口され、各中空ネジ軸にキャップ本体に内設される雌ネジを螺合して一対のキャップが被蓋されて成る灯油容器において、
前記各キャップには、相互に係着する係着手段が配設されて成る灯油容器。
【請求項２】
前記係着手段が、一対のキャップにおいて、一方のキャップ本体の頂面に立設され、他方のキャップ本体に内設される雌ネジに螺合する雄ネジから成る請求項１記載の灯油容器。
【請求項３】
前記係着手段が、一対のキャップにおいて、一方のキャップ本体の上部中央でその頂面から昇降自在に螺着され、前記給油口に挿入され得る直径のネジ軸と、該ネジ軸の上端に接合され、他方のキャップ本体に内設される雌ネジに変形自在に干渉する干渉盤と、ネジ軸の上端と前記頂面間に介在されるＯリングと、該ネジ軸の下端に接合され、該給油口に収まる回しツマミとから成る請求項１記載の灯油容器。
【請求項４】
前記係着手段が、一対のキャップにおいて、一方のキャップ本体の頂面に配設される磁性体と、他方のキャップ本体の頂面に配設される前記磁性体と異極の磁性体又は前記磁性体に吸着される磁力吸着体とから成る請求項１記載の灯油容器。
【請求項５】
灯油容器における一対のキャップにおいて、一方のキャップ本体の頂面に、他方のキャップ本体に内設される雌ネジに螺合する雄ネジを配設して成り、両キャップ本体の頂面が階層状に係着されることを特徴とする灯油容器用キャップ。
【請求項６】
灯油容器における一対のキャップにおいて、一方のキャップ本体の上部中央でネジ軸がその頂面から昇降自在に螺着され、該ネジ軸の上端に他方のキャップ本体の雌ネジに変形自在に干渉する干渉盤が接合され、ネジ軸の上端と前記頂面間にＯリングを介在させ、該ネジ軸の下端に回しツマミを設けて成り、他方のキャップの係着に関与するネジ軸が上下に姿勢変更できることを特徴とする灯油容器用キャップ。
【請求項７】
灯油容器における一対のキャップにおいて、その一方でキャップ本体の頂面に磁性体が配設され、他方でそのキャップ本体の頂面に、前記磁性体と異極の磁性体又は前記磁性体に吸着される磁力吸着体が配設されて成り、両キャップ本体の頂面相互が係着されることを特徴とする灯油容器用キャップ。
【考案の詳細な説明】
【技術分野】
【０００１】  本考案は、ポリエチレン等で成形された容器本体の一対の給油口に、それぞれキャップが被蓋された灯油容器と灯油容器用キャップに関する。
【背景技術】
【０００２】  灯油容器に使用される蓋（キャップ）で、雌ネジの内設された蓋において、磁石が配設されたものとしては、実開昭６１−１４１２４６号公報（特許文献１）及び特開２００１−３１５８３１号公報（特許文献２）に開示されているが、これらは蓋を蓋と別体の磁性部材に吸着させて蓋の紛失を防ぐものであり、容器本体がポリエチレン製のものであれば、蓋は灯油容器から離れたところで確保されるから、手短に確保できるものではない。すなわち、一対の蓋相互に磁力を作用させて、何れか一方のキャップを他方のキャップを介して灯油容器に確保できるものではない。また、一対の蓋相互における係着手段により、給油口を開口した側のキャップを灯油容器において確保できる技術は未だ提供されていないのが現状である。
【先行技術文献】
【特許文献】
【０００３】
【特許文献１】実開昭６１−１４１２４６号公報
【特許文献２】特開２００１−３１５８３１号公報
【考案の概要】
【考案が解決しようとする課題】
【０００４】  本考案は、灯油容器の容器本体に開口される一対の中空ネジ軸の給油口に被蓋される一対のキャップにおいて、キャップ相互を係着する係着手段により、何れか一方又は特定の給油口を開けたときのキャップを、被蓋状態のキャップを介して容器本体に確保できる灯油容器と灯油容器用キャップを提供するものである。
【課題を解決するための手段】
【０００５】  本考案の請求項１に記載した灯油容器は、ポリエチレン等で成形された略直方体状の容器本体の上部中央に持ち手が設けられ、該持ち手を挟んで前後に一対の中空ネジ軸の給油口が開口され、各中空ネジ軸にキャップ本体に内設される雌ネジを螺合して一対のキャップが被蓋されて成る灯油容器において、
前記各キャップには、相互に係着する係着手段が配設されて成る。
また、請求項２に記載した考案は、請求項１に記載した灯油容器において、
前記係着手段が、一対のキャップにおいて、一方のキャップ本体の頂面に立設され、他方のキャップ本体に内設される雌ネジに螺合する雄ネジから成る。
また、請求項３に記載した考案は、請求項１に記載した灯油容器において、
前記係着手段が、一対のキャップにおいて、一方のキャップ本体の上部中央でその頂面から昇降自在に螺着され、前記給油口に挿入され得る直径のネジ軸と、該ネジ軸の上端に接合され、他方のキャップ本体に内設される雌ネジに変形自在に干渉する干渉盤と、ネジ軸の上端と前記頂面間に介在されるＯリングと、該ネジ軸の下端に接合され、該給油口に収まる回しツマミとから成る。
また、請求項４に記載した考案は、請求項１に記載した灯油容器において、
前記係着手段が、一対のキャップにおいて、一方のキャップ本体の頂面に配設される磁性体と、他方のキャップ本体の頂面に配設される前記磁性体と異極の磁性体又は前記磁性体に吸着される磁力吸着体とから成る。
また、請求項５に記載した灯油容器用キャップは、灯油容器における一対のキャップにおいて、一方のキャップ本体の頂面に、他方のキャップ本体に内設される雌ネジに螺合する雄ネジを配設して成る。
また、請求項６に記載した灯油容器用キャップは、灯油容器における一対のキャップにおいて、一方のキャップ本体の上部中央でネジ軸がその頂面から昇降自在に螺着され、該ネジ軸の上端に他方のキャップ本体の雌ネジに変形自在に干渉する干渉盤が接合され、ネジ軸の上端と前記頂面間にＯリングを介在させ、該ネジ軸の下端に回しツマミを設けて成る。
また、請求項７に記載した灯油容器用キャップは、灯油容器における一対のキャップにおいて、その一方でキャップ本体の頂面に磁性体が配設され、他方でそのキャップ本体の頂面に、前記磁性体と異極の磁性体又は前記磁性体に吸着される磁力吸着体が配設されて成る。
【考案の効果】
【０００６】  本考案の灯油容器によれば、燃料タンク等への灯油の移し換え（給油）のとき、外されたキャップは他方のキャップ本体の頂面に設けた雄ネジに螺合されたり、磁力により被蓋状態のキャップ本体の頂面に反転状態で吸着されるので、常に灯油容器の容器本体に確保され、紛失のおそれがない。また、キャップ本体に雄ネジが立設されたキャップは、それ自体で市販に供することができるから、保有の灯油容器の給油口に被蓋されたキャップの一方を交換すれば、他方のキャップを外したときに、一方のキャップ本体の雄ネジに螺合すれば、両キャップは階層状の係着状態となり、外されたキャップは被蓋状態のキャップを介して手短に容器本体に確保されるとともに、給油口の開閉が極めて簡易となる。さらに、外されたキャップが他方のキャップ本体で昇降自在な干渉盤に係着される場合は、押し込むだけの極めて簡易な操作で階層状となり、搬送時には、干渉盤が最下端に位置取りされてコンパクトな姿勢となり、省スペース化が図られる。
【図面の簡単な説明】
【０００７】
【図１】本考案に係る灯油容器Ａの説明図で、分図（ａ）はその正面図、分図（ｂ）は容器本体１の上部の部分説明図。
【図２】本考案に係る灯油容器用キャップＢの縦断面図。
【図３】灯油容器Ａの右方の旧キャップ５を左方の灯油容器用キャップＢに階層状に係着した状態の説明用正面図。
【図４】本考案に係る灯油容器用キャップＢの正面図で、雄ネジ８をキャップ本体６の頂面７に両面接着シート１０で接着した状態を示す。
【図５】キャップ本体６の頂面７に磁性体１１を締まり嵌めで接合した状態のキャップＢの縦断面図。
【図６】キャップ本体６の頂面７に両面接着シート１０で磁性体１１を接着した状態のキャップＢの正面図。
【図７】キャップ本体６の頂面７に小円盤体１２からなる磁性体１１を埋設したキャップＢの平面図。
【図８】同上キャップＢの要部を破断した状態の正面図。
【図９】一対のキャップＢ、Ｂが磁力により両キャップ本体６の頂面７相互が係着された灯油容器Ａの説明用正面図。
【図１０】本考案に係る灯油容器用キャップＢの他の実施態様を示す説明図で、分図（ａ）は使用時の説明用縦断面図、分図（ｂ）は搬送時の説明用縦断面図。
【考案を実施するための形態】
【０００８】  本考案の灯油容器における一対のキャップの係着手段とは、一方のキャップ本体に内設される雌ネジと、他方のキャップ本体の頂面に立設され、前記雌ネジに螺合する雄ネジとから成るものや、両キャップ本体の頂面に配設（埋設又は接着）される異極同士の磁性体や、一方のキャップ本体の頂面に配設（埋設又は接着）される磁性体と、他方のキャップ本体の頂面に配設（埋設又は接着）され、該磁性体に吸着される磁力吸着体とによるものなどである。また、前記の雄ネジとは、中実状のものから中空有底状のものまで含まれ、キャップ本体の頂面に立設される雄ネジとは、該頂面に一体に成形されるものから、両面接着シートにより接着されるものをも含む。このほか、外されたキャップの雌ネジに対して、変形自在に干渉して位置決めする干渉盤（シリコンゴム製など）を、キャップ本体の上部中央で昇降自在に螺着したネジ軸の上端に接合したものや、キャップ本体の頂面中央に一体の台座に接合したものなども提供される。
【実施例】
【０００９】  本考案の灯油容器Ａを一実施例により説明すると、図１（ａ）に示すように、ポリエチレン等で成形された略直方体状の容器本体１の上部中央に持ち手２が設けられ、該持ち手２を挟んで手持ち状態の前後に一対の中空ネジ軸３による給油口４が開口され、各中空ネジ軸３には左方で本考案の灯油容器用キャップＢが螺着され、右方では従来から使用されている旧キャップ５が螺着される。
そこで、本考案の灯油容器用キャップＢ（以下、単にキャップＢとする。）について説明すると、図２に示すように、従来から提供されているポリエチレン製のキャップ本体６の頂面７に中空状の雄ネジ８が一体に設けられ、内面には給油口４の開口された中空ネジ軸３に螺合する雌ネジ９が設けられる。
そして、灯油容器Ａから注入ポンプ（図外）により燃料タンク（図外）等へ灯油を移し換えする際は、図３に示すように、右方の旧キャップ５が中空ネジ軸３から取り外され、外された旧キャップ５は、左方のキャップＢの雄ネジ８にその雌ネジ９において階層状に係着されるから、手短に容器本体１に確保され、紛失されることがない。なお、キャップＢの雄ネジ８の上端を中空ネジ軸３への螺着状態で、前記持ち手２の上面以下になるようにその高さを選択すれば、搬送時の高さが持ち手２の上面に統一されて、格納がコンパクトになり、省スペース化が図られる。【００１０】  また、キャップＢは図４に示すように、雌ネジ９の内設されたキャップ本体６の頂面７に、両面接着シート１０により中空有底状の雄ネジ８が接着されたものとしても提供される。【００１１】  さらに、キャップＢの一方は図５に示すように、雌ネジ９が内設されたキャップ本体６の頂面７に磁性体１１がその上面を該頂面７と面一にして締まり嵌めで配設され、これと対を成す他方のキャップＢは、該磁性体１１と異極の磁性体か、又は磁性体１１に吸着される磁力吸着体（図外）が前記と同様にキャップ本体６の頂面７に配設されるものである。
このようにして成る一対のキャップＢは、図９に示すように、すなわち、中空ネジ軸３から取り外された右方のキャップＢは、左方のキャップＢに対して天地を逆にして頂面７相互が係着されて保持される。こうすることにより、外されたキャップＢは容器本体１に手短に確保できるから、紛失されることがない。【００１２】  このほか、一対のキャップＢの態様としては、図６に示すように、キャップ本体６の頂面７にそれぞれ両面接着シート１０を介して相互に異極の磁性体１１を接着したり、他方に該磁性体１１に吸着される磁力吸着体（図外）を接着したものなどが提供される。
また、キャップ本体６の頂面７に配設される磁性体１１としては、図７、図８に示すように、小円盤体１２のものが多数一体に埋設されたものも提供される。もちろん、他方のキャップ本体６の頂面７には異極の小円盤体１２が配設される。さらに、図１０（ａ）に示すように、キャップ本体６の上部中央で頂面７から昇降自在にネジ軸１４が螺着され、該ネジ軸１４の上端の取着座１５には、外された旧キャップ５の雌ネジ９に変形自在に干渉するシリコンゴム製などの干渉盤１３が接合され、前記取着座１５の下面でネジ軸１４にＯリング１６が外嵌され、その下端には回しツマミ１７が垂下されて成るキャップＢも提供される。このキャップＢは、外された旧キャップ５を干渉盤１３に押し込むだけで、該干渉盤１３が仮想線で示すように変形して雌ネジ９に絡み、極めて簡易に旧キャップ５を階層状に係着できる上、図１０（ｂ）に示すように、搬送時には、ネジ軸１４が最下端まで回しツマミ１７により下げられるから、省スペース化が図られ、灯油収納時では、Ｏリング１６により灯油漏れが防止される。なお、本考案は、その構成要件を有する限りにおいては、灯油以外の各種液体を収納する容器及びそのキャップに適用され得ることは勿論である。
以上のように、本考案の灯油容器Ａによれば、灯油の購入時や移し換え時に何れか一方のキャップが取り外されるが、このとき、外された旧キャップ５は他方のキャップＢに階層状に係着されるか、又は磁力を作用させる一対のキャップＢにおいては、外されたキャップＢは他方の被蓋状態のキャップＢに対して図９に示すように、反転状に頂面７の相互で係着されるから、何れも手短に容器本体１に確保されて紛失の心配もない上、給油口の開け閉めが極めて簡易となる。また、本考案のキャップＢによれば、キャップ自体で市販に供することができるから、各自保有の灯油容器の旧キャップを交換することで、上記の効果が達成されるものである。
なお、先行技術としてのキャップ本体の頂面に磁石材料（磁性体）を設けた考案に対して、本考案は一対のキャップ本体６の頂面７にそれぞれ相互に異極の磁性体１１を設けたり、一方の磁性体１１に対して他方を該磁性体１１に吸着される磁力吸着体とすることで、灯油容器Ａの一対の給油口４に被蓋された状態で、外されたキャップＢを灯油容器Ａの容器本体１において、被蓋されたキャップＢに対して反転状に保持するとした技術思想の点で進歩性を有するものである。
【産業上の利用可能性】
【００１３】  本考案は、ポリエチレン製のポリタンクや灯油タンク等の灯油容器において、従来からのキャップに代えて、一対のキャップ相互の係着手段によりキャップ自体の紛失防止と、給油口の開け閉めの簡易化が図られたものであり、合成樹脂による射出成形業界の活性化に多いに貢献できる技術である。
【符号の説明】
【００１４】１  容器本体
２  持ち手
３  中空ネジ軸
４  給油口
５  旧キャップ
６  キャップ本体
７  頂面
８  雄ネジ
９  雌ネジ
１０  両面接着シート
１１  磁性体
１２  小円盤体
１３  干渉盤
１４  ネジ軸
１５  取着座
１６  Ｏリング
１７  回しツマミ
Ａ  灯油容器
Ｂ  灯油容器用キャップ
【図１】
0003193237.tif 000003
【図２】
0003193237.tif 000004
【図３】
0003193237.tif 000005
【図４】
0003193237.tif 000006
【図５】
0003193237.tif 000007
【図６】
0003193237.tif 000008
【図７】
0003193237.tif 000009
【図８】
0003193237.tif 000010
【図９】
0003193237.tif 000011
【図１０】
0003193237.tif 000012